(57)【要約】本発明の目的は、化粧製品（１）、特にスキンケア又はヘアケア製品の温度を上昇させる方法を提供することにあり、製品はキャリア（２）の上、又は内部に配置され、例えばこの種類のキャリアに含浸させる。温度上昇は、外部の熱供給源、例えばマイクロ波照射によって行う。考慮するキャリアは、例えばワイプ、パッチ、又は製品を保持することができ、且つマイクロ波オーブンの中で加熱することができる他の全ての材料である。
2006513017.tif 000002
【特許請求の範囲】
【請求項１】
特にスキンケア又はヘアケア用の化粧製品（１）を塗布する方法であって、製品は、処理表面に当てることができるキャリア（２）の上、又は内部に配置され、キャリアはほぼ指触乾燥状態であり、
−キャリアの外部で、特にマイクロ波照射によって加熱を行なう手段を適用して少なくとも製品の温度を上昇させるステップ、及び
−キャリアを前記処理表面に直接当てることにより製品を前記表面に塗布するステップ
を含む方法。
【請求項２】
製品の温度を上昇させることによって、製品の構成成分の少なくとも一つを活性化できることを特徴とする、請求項１記載の方法。
【請求項３】
製品の温度を上昇させることによって、製品に含まれる少なくとも一つの活性成分の活性化を開始させるか又は促進し、特に表面における活性成分の放出を促進することを特徴とする、請求項１又は２に記載の方法。
【請求項４】
製品の温度を上昇させることによって、製品の液化が可能になることを特徴とする、請求項１ないし３のいずれか一項に記載の方法。
【請求項５】
キャリアは、特にセルロース、発泡体、織布材料、フェルト、不織布材料、又はプラスチックからなる、シート又は複数層の組合せの形態に構成することを特徴とする、請求項１ないし４のいずれか一項に記載の方法。
【請求項６】
キャリアは、加熱する前に液体、例えば水に浸すことを特徴とする、請求項１ないし５のいずれか一項に記載の方法。
【請求項７】
キャリアは、製品の温度が２５℃〜１００℃、好ましくは３０℃〜５５℃に達するように加熱することを特徴とする、請求項１ないし６のいずれか一項に記載の方法。
【請求項８】
製品をマイクロ波照射に晒す時間が１〜１５０秒、好ましくは２〜６０秒、又は３〜２５秒であることを特徴とする、請求項１ないし７のいずれか一項に記載の方法。
【請求項９】
キャリアは、マイクロ波オーブンの加熱温度で蒸発できる液体を収容する容器（６）上方のグリッド（７）の上に配置し、好適には容器内の液位に対するグリッドの高さが調整可能であることを特徴とする、請求項１ないし８のいずれか一項に記載の方法。
【請求項１０】
キャリアをグリッドの上に配置すること、及びこのグリッドの上方に蓋（８）を配置して閉じた状態でのキャリア周囲の容器と蓋との間に容積を画定することを特徴とする、請求項９記載の方法。
【請求項１１】
キャリアはその表面の全体又は一部に表示部（３）を含み、この表示部の外観、特に色が温度の変化に伴って変化することを特徴とする、請求項１ないし１０のいずれか一項に記載の方法。
【請求項１２】
表示部は、製品を加熱することが望ましい温度よりも低い温度で状態を変えることを特徴とする、請求項１１記載の方法。
【請求項１３】
表示部は、キャリアの表面の全部又は一部に、サーモクロミック色素を含有するインクを印刷するか、又はサーモクロミック色素を含有するラベルを貼ることにより作製されることを特徴とする、請求項１１ないし１２のいずれか一項に記載の方法。
【請求項１４】
特にスキンケア又はヘアケア用の化粧製品（１）を塗布する方法であって、製品は、処理表面に当てることができるキャリア（２）の上、又は内部に配置され、キャリアは反対側を向く２つの非閉鎖性塗布表面を含み、
−キャリアの外部で、特にマイクロ波照射によって加熱を行なう手段を適用して少なくとも製品の温度を上昇させるステップ、及び
−製品を前記表面に塗布するステップ
を含む方法。
【請求項１５】
製品の温度を上昇させることによって製品の液化が容易になることを特徴とする、請求項１４記載の方法。
【請求項１６】
上又は内部に特にスキンケア又はヘアケア用の化粧製品（１）が配置されるキャリアであって、指触乾燥状態であり、且つマイクロ波オーブンの中で加熱することができ、その表面の少なくとも一部に、温度の上昇に伴って外観、特に色を変えることができる手段を含むキャリア。
【請求項１７】
上又は内部に特にスキンケア又はヘアケア用の化粧製品（１）が配置されるキャリアであって、反対側を向く２つの非閉鎖性塗布表面を含み、マイクロ波オーブンの中で加熱することができ、その表面の少なくとも一部に、温度の上昇に伴って外観、特に色を変えることができる手段を含むキャリア。
【発明の詳細な説明】
【発明の開示】
【０００１】
本発明は、メイクアッププロセス及びスキンケア製品を塗布するプロセス、更にはこのようなプロセスを実施するために使用する器具に関する。
【０００２】
化粧製品を、化粧製品の温度を上げた後に塗布することが提案されている。
従って、フランス特許第２３７６４０１号は、シャンプーをヒトの体温よりも少しだけ高い温度にまで加熱して効用を高めることを提案している。これを行なうために、加熱素子を組み込んだ装置の中に所定量のシャンプーを置く。
米国特許第５８５６６５３号は、マスカラを収容する貯蔵部を加熱してマスカラを液化する器具について記載している。
米国特許第５７７５３４４号は、容器と一体化した加熱素子を組み込んだマスカラ用の包装兼塗布器具について記載している。
国際公開公報ＷＯ  ００／４３２８６号は、混合すると発熱反応を起こして化粧組成物の温度を高くすることができる成分を含む器具について記載している。
米国特許第４９１３９５７号は、閉じた袋状構造を形成し、キャリアの隣接する第２の層に熱を移動させるように熱を保存することができる第１の層を含むラミネート加工キャリアを開示しており、この第２の層は製品で飽和し、処理表面に適用されるように構成されている。
【０００３】
特に第１の態様による本発明の目的は、特にスキンケア又はヘアケア用の化粧製品を塗布するプロセスであって、製品は、処理表面に当てることができるキャリアの上、又は内部に配置され、キャリアはほぼ指触乾燥状態であり、本プロセスは、
−キャリアの外部で、特にマイクロ波照射によって加熱を行なう手段を適用して少なくとも製品の温度を上昇させるステップ、及び
−製品を前記表面に塗布するステップ
を含む。
本発明において、「ほぼ指触乾燥状態である」という表現は、好適には、キャリアの重量に対して１５％未満の水、好ましくは１０％未満の水、更に好ましくは５％未満の水を含有するキャリアのことを言う。
【０００４】
本発明の別の目的は、特にスキンケア又はヘアケア用の化粧製品を塗布するプロセスを提供することであって、この製品は、処理表面に当てることができるキャリアの上、又は内部に配置され、キャリアは２つの非閉鎖性の塗布表面を含み、本プロセスは、
−キャリアの外部で、特にマイクロ波照射によって加熱を行なう手段を適用して少なくとも製品の温度を上昇させるステップ、及び
−製品を前記表面に塗布するステップ
を含む。
キャリアに含浸させる形で提供される製品を加熱することにより、例えば塗布された製品の広がり、及び処理領域、例えばまつ毛、皮膚、又は粘膜上における製品の保持力を促進することができるか、又は製品を加熱して使用する温度について少なくとも２種類の効果を生じさせることができる。含浸構造はほぼ平坦であることが好ましく、且つ製品を保持することができる少なくとも一つの部分を含む。
本発明による加熱段階の目的は、ほぼ指触乾燥状態である製品の液化を容易にし、製品が所望通りにキャリアを通過して流れるようにし、よって製品の広がりを促進することにある。実際、乾燥製品の塗布は、液状の同じ製品の塗布に比べると快適性に劣る。本発明によるプロセスは、取り扱いが容易であり、不使用時に汚れることがないほぼ乾燥したキャリアであって、製品中の活性剤が保存中に保護される構成のキャリアを提案するという利点を有する。製品中の活性剤は加熱段階の後にのみ放出され、加熱段階の直後に製品を処理表面に塗布する段階が行われる。
【０００５】
本発明による加熱段階によって達成される別の目的は、製品に含まれる少なくとも一つの活性成分の活性化を容易にすることにある。例えば、活性化は製品の物理化学修飾に対応する。物理化学修飾は、製品の少なくとも一つの化学特性及び／又は物理特性、好ましくは製品が含有することができる活性成分の内の一つの化学特性及び／又は物理特性に影響を及ぼす変化の全てを指すことを理解されたい。この修飾は製品の幾つかの成分に施すことができ、例えばこれらの成分の触媒作用を促進することができる。
次に、加熱段階によって、キャリアの物理特性及び／又は化学特性に影響を及ぼすこともでき、且つこれらの特性を修飾してキャリアの使用法を向上させることができ、特に製品を表面に塗布する際に製品の塗布を容易にすることができる。特にキャリアの温度をこの加熱段階によってその内部においても上昇させることができる。
製品のレオロジー特性、特に粘度、表面張力、構造組成、及びチキソトロープ効果は必要に応じて温度によって変えることができる。従って加熱すると製品を取り出し易くなる。実際、加熱による製品が流動化するほど多量の製品がキャリアから放出され、キャリアの外側表面における流れが大きくなり、これによって製品の塗布が一層容易になる。製品の分子と種々の成分との結合が変化し、特に製品に含まれる固形オイル及びワックスの全てがこの加熱効果によって液化する。すると、これと一緒に活性成分が外側表面に流れ出る。
【０００６】
キャリアが２つの非閉鎖性の塗布表面を含む場合、これらの面は互いに対向する。加熱段階によって製品の流動化が進み、これら非閉鎖性の塗布表面の各々によってそれぞれ形成される外側表面における流れが大きくなる。一般的に、一度に使用するのはこれらの２つの表面の一方であるので、２つの有効な塗布表面は、同じキャリアを２回使用することができる。また、一部のキャリアは、製品が毛細管現象によって前記キャリアに素早く行き渡るように作成され、素早い使用が可能である。「非閉鎖性表面」という用語は、キャリアが保持する製品の少なくとも一部が通過することができる表面を指す。
有利には、製品は、製品を熱い状態又は冷えた状態、特に室温で塗布することができる特性を有する。この特性によってユーザは、所望の塗布又はメイクアップの種類に応じて製品の特性をできる限り効果的に調節することができ、特に、同じ製品を冷えた状態で塗布すると厚く不均一な仕上がりとなるのに対し、製品を薄い層に広げてきめ細かなメイクアップを行うことが望ましい場合に製品を熱い状態で塗布することができる。従って加熱することによって、製品の活性成分の物理特性又は化学特性に対応する機能特性を発現させ、及び／又は加速することができる。
更に、製品の化学成分に関して、製品は、所定の温度に達した後にのみ活性化される活性成分を含むことができる。この場合、例えば第１の温度、例えば室温で第１の化粧効果又はスキンケア効果を、例えば第２の温度、例えば第１の温度よりも高い温度で第２の化粧効果又はスキンケア効果を得ることができる。
【０００７】
製品を熱い状態で塗布すると、製品の活性成分が少なくとも皮膚、粘膜、又はケラチン繊維への浸透が促進され、血行を局所的に良くすることができる。実際、局所的な塗布を行なう場合、キャリアの熱は表皮細胞に伝わり、孔の広がりを促進する。従って、製品の塗布に必要な時間は、本発明に従って加熱されるキャリアに含浸する形で製品がキャリアに含まれる場合にかなり短くなる。
再利用可能なキャリアの場合、製品は熱可逆性の化合物を含むことが好ましく、これによって、第１回目の使用の後に製品を熱い状態又は冷えた状態で使用することができる。プロセスは、器具が単一回のみ使用されるように設計されているかどうかによって、１回又は数回実施することができる。
更に、製品が熱効果によって流動化すると、熱がキャリアの構造に伝わって、キャリアの組織が軟化する。キャリアの触感が一層良好になり、皮膚の敏感な部分に塗布を行なうことができる。
【０００８】
また、加熱段階の間に製品の活性成分がキャリア構造から自然に出てくるので、使用の前にキャリアを湿らせる必要を無くすことができる。これらの活性成分はキャリアの表面に染み出すので、皮膚に直接塗布することができる。
しかしながら、キャリアに含浸させる液体の量を増やすためにキャリアを液体、例えば水の中に浸す初期段階において、キャリアを外側から加熱することができないわけではない。従って、加熱操作、特にマイクロ波による加熱操作によってキャリア内部に含浸している液体の初期加熱及び製品全体の流動化が容易になり、これによって製品がキャリアから放出され易くなる。親水性であるかどうかに拘らず、活性成分は全て液体と一緒にキャリアの表面に達する。
これらのキャリアは、経皮作用により活性成分を皮膚に染み込ませることができる。処理表面への塗布を行なうために少なくとも一つの活性製品を含浸させることができるキャリアは、例えばワイプ、パッチ、及びほぼ全ての種類の多孔質基質から選択される。好適には、これらのキャリアは長楕円形構造を有する、すなわちキャリアを画定する平面の寸法よりも小さい厚さを有する。
【０００９】
別の含浸キャリアは、例えばフロック材アプリケーターとすることができ、このアプリケーターは、例えばエラストマー又はプラスチック材料からなる本体を有し、本体の表面は製品が含浸したフロック材により覆われる。
これらのキャリアは、キャリアに含まれる薬剤及びこれらの薬剤の活性化方法によって乾燥した外観又は湿った外観を呈する。乾燥キャリアは、製品の活性成分が加熱段階の間に流動化されてキャリアから放出されるとすると、使用の前に湿らせることなく直接使用することができる。乾燥キャリアは、加熱段階の前に湿らせるか、又は再度湿らせることもできる。
キャリアを構成する材料は、使用モード及びキャリアに含浸する活性成分に応じて親水性のものであっても疎水性のものであってもよい。
【００１０】
化粧用ワイプは通常、好ましくは不織布である自然材料又は合成材料からなる基質により構成されるが、基質は、発泡体又は織布材料、或いはセルロース又はシリコーンマトリックスとすることもできる。前記基質には、所望の目的、例えば皮膚からのメイクアップの洗浄又は除去、又はスキンケアに適する組成物を含浸させる。ワイプは通常、不織布材料、特に通気性又は多孔性不織布材料、発泡体、織布繊維、フェルト材料、多孔性又は非多孔性プラスチック膜、であり、好ましくは金属コーティングが施されていない材料から選択される材料により作製される。
パッチは通常、連続する複数の層を次の順番で有する構造を有する。第１層：キャリア層と呼ばれる通常閉鎖性である層、すなわち活性成分を透過せずに活性成分の蒸発を防ぎ、且つ経皮透過を容易にする材料により構成される層。第２層：貯蔵層と呼ばれ、キャリア層に付着し、製品、従って活性成分を含有する層。この貯蔵層は皮膚に直接触れることができ、必要に応じて、皮膚にパッチを貼り付ける操作を容易にするために貯蔵層の表面に取り付けて、活性成分を透過させる接着材料層に直接触れることができる。最終層：取り外し可能な保護層：貯蔵層を覆ってシールすることにより、パッチを使用する前の保存期間中に貯蔵層を外部汚染から保護する。
さらに簡易な方法により、例えば織布材料又は不織布材料により作製され、且つキャリアの少なくとも一つの表面に固定される製品層を含むキャリアが公知である。
【００１１】
取り外し不能な形でマトリックスに接合させた少なくとも２つの層の間に配置される接着性マトリックスを含み、使用前に湿らせる必要のある、所謂「サンドイッチ」マスクも公知である。これらの層の少なくとも一つ、通常は両方の層は、液体を透過し、マトリックスは、前記液体に接触させて配置すると、皮膚に作用することができる少なくとも一つの主要活性成分を含む。好適には、マトリックスは前記液体に溶解する一つ以上の成分を含む。液体は水、又は水及びアルコールの溶液とすることができる。例えば、マトリックスはワックス又は固形オイルから成る微小球を含む。
好適には、このようなマスクは、活性成分を含浸させるためにマスクを事前に水性の液体に通すことなく得られる。その結果、この種類のマスクは製品の形成過程において防腐剤を含ませる必要がない。従って、キャリアが吸収することができる量の製品には、より多くの活性成分が含まれる。キャリアには、例えば脱水製品又は乾燥製品を直接含浸させる。
使用の前に湿らせる必要があるキャリアの場合、マトリックスと液体が相互作用することにより活性成分がマトリックスから放出され易くなる。これは、マトリックスに、前記液体と接触すると広がってキャリアのメッシュサイズを大きくする成分が含まれるためである。例えば、吸湿化合物は広がる性質を有し、特に、ポリアクリレート、シリカ、綿繊維、でんぷん、アルギン酸塩、カルシウム又はマグネシウム炭酸塩、ビスコース、セルロース、乾間物から選択される。
【００１２】
使用の前にキャリアを湿らせる必要があるかどうかに関わらず、本発明によるプロセスでは、使用の前にキャリアを加熱することにより、マトリックス又は貯蔵層に含まれる製品を、前記マトリックスに付着する透過層の少なくとも一つの外側表面にまで、又は前記貯蔵層の少なくとも一方の外側表面にまで、容易に高速で引き出すことができる。マトリックスに取り付けられた透過層が細密であるほど、より多くの量の製品を引き出すことができる。
キャリアを切断してディスク、マスク、タオル、グローブ、成形ローラ、又は化粧用途に適するその他の形状にすることができる。
キャリアは、キャリアの外部のエネルギー供給源により加熱する。加熱は、キャリアをオーブン、例えばマイクロ波オーブンの中に置くことにより、又はキャリアを加熱素子の下、又は上のスチームバスの上方に置くことにより行なうことができる。使用の前に湿らせる必要のあるキャリアの場合、スチームバス上方において加熱することにより、キャリアを加熱する操作及び湿らせる操作を同時に行なうことができる。熱供給源は、赤外光、可視光、紫外線、電子線、電磁波、又は物質を含浸する固形キャリアを加熱する機能を備える他の形態とすることができる。
本発明では、キャリアはマイクロ波オーブンの中で加熱することが好ましい。「マイクロ波オーブン」という用語は、食物を加熱する他の用途に使用されるような従来型のオーブンであって、加熱対象物体を電磁気エネルギーに晒すことができるチャンバーを含むオーブンを指す。この場合、選択されるキャリアは有利には金属、例えば金属部品、又は金属又は導電コーティングを含まず、マイクロ波オーブンの中で使用することができる材料によってのみ作製されることが好ましい。加熱を行う本方法によって、製品を含浸するキャリアが熱伝導性の悪い一つ以上の材料により作製される場合でも、大きな温度上昇速度が得られる。キャリア容積内の製品温度の上昇は高速に行われる。
【００１３】
加熱は、キャリアに含浸された製品から取り出される活性成分の溶融温度及び／又は液化温度を考慮して行なわれる。製品は、皮膚の上に直接塗布するために２５℃〜１００℃、好適には３０℃〜５５℃の温度になるように加熱することができる。マイクロ波照射により加熱を行なう場合、加熱時間は、選択するマイクロ波電力に応じて、例えば１〜１５０秒、好適には２〜６０秒、又は３〜２５秒、例えば約５秒とすることができる。
一般的に、加熱時間は基本的には選択する熱供給源の電力、キャリアの性質、初期温度及び到達温度に依存し、更にはキャリアに含浸される製品の量及び性質にも依存する。
好適には、キャリアは加熱手段の中に「平坦に」なるように載置されるので、製品が液化すると、製品を塗布する側のキャリアの少なくとも一つの表面が製品を最も大量に含浸する。実際、流動化した製品の流れる方向は重力、又はキャリアのメッシュ構造に従って決まり、製品は毛細管現象及び重力によって外側表面の内の一つに向かって広がる。
キャリアは、ユーザにオーブンの電力に応じた必要加熱時間を通知する注意書きを含む包装器具に収容することができる。包装器具はユーザに、器具を加熱することができること、特に器具をマイクロ波オーブンの中に置くことができることを通知する表記を含むことができる。
【００１４】
本発明の別の態様は、上述とは別個の、又は上述と組み合わせたキャリアであって、特にスキンケア又はヘアケア用の化粧製品がその上、又は内部に配置される構成のキャリアを提供することを更なる目的とし、このキャリアは製品の温度についての情報を提供するように構成される表示部を備える。この種類の表示部はユーザに、加熱手段から取り出すときの製品の温度について通知して、製品を正しく使用し、且つユーザをやけどから保護することができる。
使用する表示部は、特に製品温度が少なくとも一つの所定値よりも高い場合、例えば製品温度が、熱い状態での製品の効果的な使用を可能にする温度範囲に対応する、２つの所定値の間にある場合、ユーザに警告を発するように機能することができる。表示部は、例えば、製品を加熱することが望ましい温度で状態を変えることができる。例えば、製品を温度Ｔ１で使用することが望ましい場合、Ｔ１よりも数℃低い温度Ｔ２で色を変える表示部を使用することができ、この場合、温度Ｔ２は表示部と製品との間の熱抵抗を考慮して選択される。この種の表示部はユーザに警告を発する機能を備える。
温度検出表示部は、温度によって、例えば外観、特にその色を、所定の遷移温度に達すると一の色から別の色に変化することによって変化させることができる。表示部は温度の関数である色飽和効果を有してもよい。表示部は温度に依存する、特定の温度に達すると透明又は不透明になる透明効果を有することもできる。好適には、表示部は温度によりその外観を可逆的に変化させる、すなわち表示部は器具が室温に戻ると元の外観に戻る。
【００１５】
例えば表示部は、例えば接着によってキャリアに固定される少なくとも一つの可撓性支持体を含むことができる。表示部は、例えばキャリアの一つの面に貼付されるパッド又は接着ラベルの形を採ることができる。表示部は、キャリアの上に、例えばサーモクロミック色素を含有するインクを使用して印刷することにより作製することもできる。表示部は、キャリア又は製品を構成する材料にサーモクロミック色素を含ませることにより形成することもできる。
表示部は、外観が温度と共に変化する全ての材料、例えば封入することができる構成のコレステリック液晶、好適には、器具をマイクロ波オーブンの中に載置することができる構成の材料を含むことができる。温度によって外観が変化する材料の例は、例えば欧州特許第１１９１３１７Ａ１号又は米国特許第５７８６５７８号に記載されている。
【００１６】
本発明の更に別の目的は、その上又は内部に、特にスキンケア又はヘアケア用の化粧製品を配置できるキャリアを提供することにあり、このキャリアは、２つの非閉鎖性の塗布表面を含み、マイクロ波オーブンの中で加熱することができ、且つその表面の少なくとも一部の上に、温度の上昇に応じて外観、特にその色を変えることができる手段を含む。
本発明の別の目的は、上述とは別個に、又は上述と組み合わせて採用される、スキンケア製品を含む化粧製品を含浸したキャリアの販売を促進する方法を提供することであり、この方法によって、器具をマイクロ波オーブンの中に載置して製品温度を上昇させることにより、例えば製品の特性、特にそのレオロジーを変えることができることを通知することができる。この製品は、例えばメイクアップリムーバーワイプ又は２層マスクのようなスキンケア製品又はメイクアップ製品である。
本発明のさらに別の目的は、上述とは別個に、又は上述と組み合わせて採用される、化粧製品を含浸したキャリアの販売を促進する方法を提供することであり、この方法により、製品を熱い状態で使用するか又は冷えた状態で使用するかによって、２つの異なるメイクアップ効果が得られることを通知することができる。
【００１７】
製品の販売促進は、あらゆる通信チャネルを通じて行なうことができる。この販売促進は、ベンダーが販売拠点（例えば、美容関連施設又は美容院）において直接、又は販売チャネル、特に通信販売により、ラジオ又はテレビを通じて、特に宣伝コマーシャルの形で実行することができる。販売促進はまた、プレス発表又は他の文書、特に宣伝を目的とする文書を利用して実行することができる。販売促進はまた、コンピュータネットワーク又は携帯電話ネットワークを通じて実行することができる。販売促進はまた、包装器具、他の包装媒体、或いは添付取扱説明書により実行することができる。
【実施例】
【００１８】
後述及び添付図面により、本発明を更に詳細に説明する。これらは指針としてのみ提示されるのであり、いかなる意味でも本発明の範囲を限定するものではない。
【００１９】
図１のブロック図は、本発明の第１の態様による、キャリア２に含浸させた図２の化粧製品１の温度を上げるために使用できるプロセスの種々の段階を示している。
このプロセスは、化粧製品をキャリアに含浸させる第１段階１０を含む。キャリアへの化粧製品の含浸は、既知の方法、特にパッチ又はワイプを作製するために使用する方法に従って行なうことができる。
【００２０】
次にプロセスは、製品をキャリア及び製品の外部の加熱手段を使用して加熱する段階２０を含む。例えば、この加熱手段はマイクロ波オーブンであり、この場合、キャリアはマイクロ波照射に晒されると壊れ易い、又は使用するオーブンを壊し易い金属部分又は導電部分を全く含まない。
マイクロ波加熱が有効であるのは、オーブンの電力出力が非常に調整し易く、更には、加熱時間を正確にモニターすることができるからである。従って、所与のキャリアに対し、例えば「Ｐ」がオーブンの電力、「ｔ」が加熱時間を指す場合に、タイプ（Ｐ１，ｔ１）；（Ｐ２，ｔ２）などの加熱設定組合せを示すことができる。
好適にはマイクロ波電力設定は、製品がマイクロ波照射に晒される時間がかなり短く、例えば２０秒未満、特に数秒のオーダーとなるように選択される。
【００２１】
次に包装器具を加熱手段から取り出し、製品の塗布を行う段階３０を実行する。この塗布は、例えばキャリアを処理表面、例えば皮膚に直接当てることにより行なうことができる。製品は、例えばメイクアップリムーバー、モイスチャライザー、ファンデーション、サンスクリーン製品、ヘア製品、セルフタンニング製品、又は他のスキンケア製品とすることができ、ここに挙げたものに限定されない。
マイクロ波オーブンによる加熱時間の最後では、キャリアの外側表面での製品の温度は５５℃又は７０℃を超える。このため、好適な実施形態では、キャリアは温度表示部３を備える。
この温度表示部３は図２に示すように、キャリアの塗布面に接着されるラベル又はパッドの形を採ることができる。温度表示部は、例えば製品層１を形成するように設計された材料に、既知のサーモクロミック色素、又は温度の変化により色を変えるその他の材料を混合することにより作製することができ、好ましくは製品を加熱するためにキャリアをマイクロ波オーブン内に入れることに適合している。サーモクロミック色素を含有するインクを使用したストライプ又は他のパターンをキャリア２の外側表面４の上にスクリーン印刷することもできる。
【００２２】
本発明の別の態様によれば、キャリア材料に含浸した製品が余りにも急激に冷却されることがないように、十分に高い熱慣性率をキャリア材料が有するようにキャリア材料を選択することができる。従って、キャリア材は、無機物又は他の充填物を高い割合で含むことにより大きな熱容量を有するプラスチック材料によって作製することができる。
従って、例えば青銅又は酸化アルミニウムのような化合物から成る充填物を含む成形加工による熱可塑性材料又は熱硬化性材料を作製することができる。特に、酸化アルミニウムを６０重量％含み、残りの部分がポリアミド又はポリプロピレンである混合物を成形することによりキャリアを作製することができる。更なる非限定的実施例として、キャリアは、ポリプロピレンを４０重量％、セラミック材料を６０重量％含む混合物を成形することにより作製することもできる。
キャリアの熱慣性は、例えば充填プラスチックを使用することにより、かなり大きくなるので、加熱手段の消費電力を下げることができる。
キャリアの熱慣性は、キャリアの材料に、塗布製品を内部に充填することができる材料、例えば発泡体又はフリットのような多孔質材料を使用することにより大きくすることもできる。キャリアの孔に含まれる製品はマイクロ波オーブンの中に置いたときに加熱され、この熱慣性がさらにキャリアに加わる。
【００２３】
キャリアはまた、キャリアをマイクロ波オーブンの中に載置することができることを示す記号を含むことができる。
【００２４】
図２は「２層」タイプのキャリアを示しており、このキャリアは、両側をそれぞれ第１外側層２ａ）及び第２外側層２ｂ）に取り囲まれた製品層１を含む。これらの外側層の少なくとも一つは、製品を通過させることができ、処理表面に適用できる材料により作製される。本実施例の場合、これらの外側層は、平坦面を有し、薄く、そしてその所望の塗布領域に適合する外形を有するように成形する。例えば、製品層は同じ表面領域を有し、加熱後は少なくとも一つの透過層の全表面領域を覆い、且つ通過することができる。
加熱後、活性成分が流動化し、そして透過層を通過する。
図３に示す変形例では、キャリアは単一層を含み、この単一層の上に製品層１が直接設けられる。この種のキャリアに対する加熱は、この製品を処理領域に直接塗布するときに製品の少なくとも一つの物理化学特性に変化を生じさせるために行う。
【００２５】
キャリアを加熱しながらキャリアを湿らすことが望ましい場合、本発明では加熱対象のキャリアをスチーム機器に取り付け、次にこの機器をマイクロ波オーブンの中に載置する。このスチーム機器５は容器６を含み、この容器には、一定量の蒸発可能な液体Ｌ、例えば水を保存することができる。グリッド７をこの容器６の上方に取り付け、容器から蒸発するスチームがグリッドを通過してグリッド７上に配置されるキャリア２を湿らすことができるようにする。また、随意でこの機器５は蓋８を含むことができ、これによって液体は確実に蒸発し続け、スチームが蓋に触れるとスチームが凝縮して再度液化し、容器に戻る形で容器に流入する。
容器６内の液位の高さ及び液位に対するグリッド７の位置を調整して湿潤性を高くしたり低くしたりすることができる。液位に関し、容器６は例えば目盛９を有し、容器に保存される水の量を最低限の精度で測定することができる。図５ａによれば、容器６はこのような目盛９を含む。
【００２６】
グリッド７又は容器６は、互いに対する取り付けがそれぞれ容易になるように、互いに嵌合する固定手段も含む。図５ｂによれば、グリッド７は中空構造１０の内部に取り付けられ、この中空構造の外縁が容器６の内側に嵌合する。例えば、容器６が円筒形である場合、グリッド７は環状構造の内部に取り付けられる。この環状構造１０の外周は、第１の窪み１１を第１面１３側、例えばグリッド７の上面１３の側に有する。更に、構造１０は第２の窪み１２を、同じグリッド７の第１面１３とは反対側の第２面１４の側に有する。グリッド７はこれらの２つの窪みの高さ１１と１２の中間に位置しないことが好ましいので、どちらの窪みが容器６の内縁と嵌合するかによって、グリッド７は容器６に対して２つの異なる高さに位置する。
逆に、窪み１１及び１２を構造１０の内側エッジ上に形成して容器６の外縁と嵌合させることができる。
【００２７】
図５ｃによる変形例では、グリッド７が構造１０の内側に取り付けられ、構造１０外縁上には少なくとも２つのフランジ１５及び１６が設けられており、これらはそれぞれ容器６の内縁に設けられる後退部１７と嵌合する。構造１０は、半径方向の応力を吸収して構造１０を容器６に圧入することができるように、若干の柔軟性を有する。従って、第１フランジ１６を後退部１７に挿入するとき、第２フランジ１５に負荷が掛からないので好ましい。他方、キャリア１０を更に容器６に向けてさらに押し込むと、第１フランジ１６にひずみが生じて内縁に押し付けられる間に第２フランジ１５が後退部１７と嵌合する。
【００２８】
請求の範囲及び明細書を通じて、「〜を含む」という表現は、特に断らない限り、「少なくとも１つの〜を含む」と同義であると理解されたい。
【図面の簡単な説明】
【００２９】
【図１】本発明による方法の一実施例の各段階を示すブロック図である。
【図２】本発明による加熱対象の含浸キャリアの外観図である。
【図３】本発明による加熱対象の含浸キャリアの外観図である。
【図４】スチームバスの上方での加熱を可能にする器具の展開図である。
【図５】ａ、ｂ、及びｃは図４による器具の実施形態の例である。
【図１】
2006513017.tif 000003
【図２】
2006513017.tif 000004
【図３】
2006513017.tif 000005
【図４】
2006513017.tif 000006
【図５】
2006513017.tif 000007
【国際調査報告】
2006513017.tif 000008
2006513017.tif 000009
2006513017.tif 000010